(57)【要約】【課題】薬剤シートまたは薬剤セットを適切に払い出せる薬剤収容カセットおよび薬剤払出装置を提供する。【解決手段】薬剤収容カセット１の収容部１１には、ＰＴＰシートを輪ゴム９９で束ねたシート束１００Ａを収容することができる。また、上記薬剤収容カセット１は、上記シート束１００Ａを上記収容部１１から払い出す払出部および上記収容部１１内のシート束１００Ａを上記払出部が位置する側の収容部壁１４に向けて押す移動動作部３を備える。さらに、上記薬剤収容カセット１は、上記収容部１１の上面開口を覆う開閉蓋１３を備えており、上記開閉蓋１３によって上記シート束１００Ａのせり上がりを防止する。【選択図】図３
2014004342.tif 000002
【特許請求の範囲】
【請求項１】
薬剤シートが収容される収容部と、薬剤シートを上記収容部から払い出す払出部と、上記収容部内の薬剤シートを上記払出部に向けて移動させる移動動作部と、上記収容部の上面開口を覆う開閉蓋と、を備えたことを特徴とする薬剤収容カセット。
【請求項２】
請求項１に記載の薬剤収容カセットにおいて、上記開閉蓋は２枚の蓋部材が観音開き状に開閉し、閉状態で上記２枚の蓋部材の間に間隙が形成されることを特徴とする薬剤収容カセット。
【請求項３】
請求項１または請求項２に記載の薬剤収容カセットにおいて、上記収容部の底面には上記移動動作部の移動方向と平行に溝が形成されていることを特徴とする薬剤収容カセット。
【請求項４】
請求項３に記載の薬剤収容カセットにおいて、上記移動動作部は上記溝を通る捲回スプリングを有しており、上記溝内に位置する上記捲回スプリングは上記溝の開口よりも下に位置することを特徴とする薬剤収容カセット。
【請求項５】
請求項１〜請求項４のいずれか１項に記載の薬剤収容カセットにおいて、上記上面開口の上記払出部側が固定板で覆われ、他の部分が上記開閉蓋により覆われることを特徴とする薬剤収容カセット。
【請求項６】
請求項１〜請求項４のいずれか１項に記載の薬剤収容カセットにおいて、上記開閉蓋の内側面に上記薬剤シートの移動抵抗を軽減する摺接部が設けられていることを特徴とする薬剤収容カセット。
【請求項７】
請求項５に記載の薬剤収容カセットにおいて、上記開閉蓋の内側面および上記固定板の内側面に上記薬剤シートの移動抵抗を軽減する摺接部が設けられていることを特徴とする薬剤収容カセット。
【請求項８】
請求項１〜請求項７のいずれか１項に記載の薬剤収容カセットが装填スペース内に出し入れ可能に装填されており、移動可能に設けられた払出操作部によって上記薬剤収容カセットから薬剤シートを払い出すことを特徴とする薬剤払出装置。
【請求項９】
請求項８に記載の薬剤払出装置において、上記払出操作部は、上記薬剤収容カセットの上記払出部から払い出された薬剤シートを通過させる通路部を有しており、この通路部に上記薬剤シートを移送するベルト駆動移送部を備えていることを特徴とする薬剤払出装置。
【請求項１０】
請求項８または請求項９に記載の薬剤払出装置において、上記払出操作部は、上記薬剤収容カセットの上記払出部に位置する薬剤シートを突き押して払い出す突き押し部材を有しており、この突き押し部材の上記薬剤シートに対面する側に凹部を有することを特徴とする薬剤払出装置。
【請求項１１】
請求項８〜請求項１０のいずれか１項に記載の薬剤払出装置において、同一または異なる種類の複数の薬剤を一纏めにした薬剤セットが収容できる薬剤収容カセットが上記装填スペース内に出し入れ可能に装填されており、処方箋データが上記薬剤セットに合致する場合に上記薬剤収容カセットから上記薬剤セットを払い出すことを特徴とする薬剤払出装置。
【請求項１２】
請求項８〜請求項１１のいずれか１項に記載の薬剤払出装置において、薬剤シートと端数部とを一纏めにした薬剤セットが収容できる薬剤収容カセットおよび上記薬剤シートが１枚ずつ収容できる通常カセットが上記装填スペース内に出し入れ可能に装填されており、処方箋データが上記薬剤セットに合致する場合に上記薬剤収容カセットから上記薬剤セットを払い出し、合致しない場合に上記通常カセットから上記薬剤シートを１枚ずつ払い出すことを特徴とする薬剤払出装置。
【請求項１３】
同一または異なる種類の複数の薬剤を一纏めにした薬剤セットを薬剤収容カセットの収容部に収容し、上記薬剤収容カセットの払出部から薬剤セットごと払い出すことを特徴とする薬剤払出方法。
【請求項１４】
薬剤シートと端数部とを一纏めにした薬剤セットを薬剤収容カセットの収容部に収容し、上記薬剤収容カセットの払出部から薬剤セットごと払い出すことを特徴とする薬剤払出方法。
【発明の詳細な説明】
【技術分野】
【０００１】
この発明は、ＰＴＰ（Ｐｒｅｓｓ  Ｔｈｒｏｕｇｈ  Ｐａｃｋａｇｅ）シートやブリスター包装シート等の薬剤シートを払い出す薬剤払出方法、薬剤払出に用いる薬剤収容カセットおよび薬剤払出装置に関する。
【背景技術】
【０００２】
薬剤払出装置は、薬剤ごとのＰＴＰシートが収容される薬剤収容カセットを多数備えており、入力された処方箋データに基づいて選択した薬剤収容カセットから必要枚数のＰＴＰシートを払い出す。このような薬剤払出装置としては、特許文献１において開示された薬剤払出装置がある。
【０００３】
特許文献１の薬剤払出装置で用いられている薬剤収容カセットは、複数枚のＰＴＰシートを立てた状態で横方向に並べて収容する。上記薬剤収容カセットの奥側には上記ＰＴＰシートを上記薬剤収容カセットの手前側へと押す移動動作装置が設けられている。そして、上記薬剤収容カセットの手前側壁の底部には払出用のスリットが形成されており、最も手前位置のＰＴＰシートが突き押し部材によって下方に押されると当該ＰＴＰシートが上記スリットから払い出される。
【先行技術文献】
【特許文献】
【０００４】
【特許文献１】特開２０１１−４１７８９号公報
【発明の概要】
【発明が解決しようとする課題】
【０００５】
しかしながら、上記従来の薬剤払出装置は、上記ＰＴＰシートを切断する切断装置を備え、端数錠剤の払い出しを上記ＰＴＰシートの切断により行っているため、迅速な払出処理を行うことができない。また、同一または異なる複数のＰＴＰシートをまとめて払い出すことはできなかった。
【０００６】
この発明は、上記の事情に鑑み、複数枚のＰＴＰシートをまとめて迅速に払い出す、或いは、薬剤払出装置によって薬剤シートを切断する必要をなくして迅速に薬剤を払い出す薬剤払出方法を提供する。また、薬剤シートを輪ゴムで束ねたシート束を適切に払い出せる薬剤収容カセットおよび薬剤払出装置を提供する。
【課題を解決するための手段】
【０００７】
上記課題を解決するために、この発明の薬剤払出方法は、同一薬剤或いは異なる薬剤の複数枚の薬剤シートを輪ゴムで束ねた同一タイプのシート束を薬剤収容カセットの収容部に収容し、上記薬剤収容カセットの払出部からシート束ごと払い出すことを特徴とする。また、薬剤シートと端数部とを輪ゴムで束ねた同一タイプのシート束を薬剤収容カセットの収容部に収容し、上記薬剤収容カセットの払出部からシート束ごと払い出すことを特徴とする。かかる方法であれば、例えば１週間分の薬剤を処方する場合、同一薬剤或いは異なる薬剤の複数枚のＰＴＰシートを輪ゴムで束ねたり、或いは幾つかの端数をＰＴＰシートに束ねて提供することが薬剤払出装置の薬剤収容カセットを用いて行うことができる。すなわち、例えば頻繁に生じる処方についての一定期間分のＰＴＰシートや端数を束ねたシート束を上記薬剤収容カセットの収容部に収容して払い出し、このような一定期間分の処方薬剤の払い出しが薬剤払出装置を用いて正確且つ迅速に行えるようになる。
【０００８】
上記シート束が上記収容部内を移動する時に、シート束同士が押し合い、上記輪ゴムの摩擦力でせり上がってその一部が上記収容部の上面開口の上に出てしまうことがある。このようなことが起きると、上記薬剤収容カセットを出し入れするときに上記シート束が引っ掛かるなどの問題が生じるおそれがある。
【０００９】
そこで、この発明の薬剤収容カセットは、薬剤シートが収容される収容部と、薬剤シートを上記収容部から払い出す払出部と、上記収容部内の薬剤シートを上記払出部に向けて移動させる移動動作部と、上記収容部の上面開口を覆う開閉蓋と、を備えたことを特徴とする。
【００１０】
上記の構成であれば、複数枚の薬剤シートを輪ゴムで束ねたシート束を上記収容部内に収容した場合でも、上記収容部の上面開口が上記開閉蓋によって覆われるので、閉じた状態の上記開閉蓋によって上記シート束のせり上がりを防止することができる。また、上記開閉蓋を開けて上記収容部内にシート束を補充することができる。
【００１１】
上記開閉蓋は２枚の蓋部材が観音開き状に開閉し、閉状態で上記２枚の蓋部材の間に間隙が形成されるようにしてもよい。これによれば、シート束の輪ゴムが上記間隙に位置するようにシート束を収容することで、上記輪ゴムが上記開閉蓋に接触しないようにシート束を移動させていくことができる。
【００１２】
上記収容部の底面には上記移動動作部の移動方向と平行に溝が形成されていてもよい。これによれば、シート束の輪ゴムが上記溝に位置するようにシート束を収容することで、上記輪ゴムが上記収容部に接触しないようにシート束を移動させていくことができる。
【００１３】
上記移動動作部は上記溝を通る捲回スプリングを有しており、上記溝内の上記捲回スプリングと上記溝の開口との間に空隙が形成されるようにしてもよい。
【００１４】
上記上面開口の上記払出部側が固定板で覆われ、他の部分が上記開閉蓋により覆われるようになっていてもよい。これによれば、シート束の払出動作に起因してシート束に大きなせり上がりの力が生じたとしても、上記固定板によってせり上がりを確実に防止することができる。
【００１５】
上記開閉蓋の内側面に上記薬剤シートの移動抵抗を軽減する摺接部が設けられていてもよい。また、上記開閉蓋の内側面および上記固定板の内側面に上記薬剤シートの移動抵抗を軽減する摺接部が設けられていてもよい。これによれば、シート束のせり上がりを防止しながら当該シート束の移動を円滑に行わせることができる。
【００１６】
また、この発明の薬剤払出装置は、上記薬剤収容カセットが装填スペース内に出し入れ可能に装填されており、移動可能に設けられた払出操作部によって上記薬剤収容カセットから薬剤シートを払い出すことを特徴とする。
【００１７】
上記薬剤払出装置において、上記払出操作部は、上記薬剤収容カセットの上記払出部から払い出された薬剤シートを通過させる通路部を有しており、この通路部に上記薬剤シートを移送するベルト駆動移送部を備えていてもよい。これによれば、シート束の輪ゴムに起因して当該シート束が上記通路部を滑り落ち難くなったとしても、上記ベルト駆動移送部によって上記シート束を移送することができる。
【００１８】
上記薬剤払出装置において、上記払出操作部は、上記薬剤収容カセットの上記払出部に位置する薬剤シートを突き押して払い出す突き押し部材を有しており、この突き押し部材の上記薬剤シートに対面する側に凹部を有していてもよい。これによれば、シート束の輪ゴムが上記突き押し部材に接触するのを上記凹部によって回避し、上記突き押し部材の動作に起因して上記シート束がせり上がろうとするのを抑制することができる。
【００１９】
上記薬剤払出装置において、同一または異なる種類の複数の薬剤を一纏めにした薬剤セットが収容できる薬剤収容カセットが上記装填スペース内に出し入れ可能に装填されており、処方箋データが上記薬剤セットに合致する場合に上記薬剤収容カセットから上記薬剤セットを払い出すようにしてもよい。
【００２０】
上記薬剤払出装置において、薬剤シートと端数部とを一纏めにした薬剤セットが収容できる薬剤収容カセットおよび上記薬剤シートが１枚ずつ収容できる通常カセットが上記装填スペース内に出し入れ可能に装填されており、処方箋データが上記薬剤セットに合致する場合に上記薬剤収容カセットから上記薬剤セットを払い出し、合致しない場合に上記通常カセットから上記薬剤シートを１枚ずつ払い出すようにしてもよい。
【００２１】
また、この発明の薬剤払出方法は、同一または異なる種類の複数の薬剤を一纏めにした薬剤セットを薬剤収容カセットの収容部に収容し、上記薬剤収容カセットの払出部から薬剤セットごと払い出すことを特徴とする。
【００２２】
また、この発明の薬剤払出方法は、薬剤シートと端数部とを一纏めにした薬剤セットを薬剤収容カセットの収容部に収容し、上記薬剤収容カセットの払出部から薬剤セットごと払い出すことを特徴とする。
【発明の効果】
【００２３】
この発明であれば、複数枚の薬剤シートをまとめて迅速に払い出すことができる。また、薬剤払出装置によって薬剤シートを切断する必要をなくして迅速に薬剤を払い出すことができる。また、薬剤シートを例えば輪ゴムで束ねたシート束が薬剤収容カセットの収容部内でせり上がるのを防止できるという効果を奏する。
【図面の簡単な説明】
【００２４】
【図１】この発明の一実施形態に係る薬剤払出装置を示した説明図である。
【図２】図１の薬剤払出装置の制御系の概略を示したブロック図である。
【図３】この発明の一実施形態に係る薬剤収容カセットの斜視図である。
【図４】図３の薬剤収容カセットを裏面側から見た斜視図である。
【図５】図３の薬剤収容カセットを一部省略して示した斜視図である。
【図６】図３の薬剤収容カセットを一部省略して示した斜視図である。
【図７】図３の薬剤収容カセットを一部省略して示した斜視図である。
【図８】図３の薬剤収容カセットを一部省略して示した斜視図である。
【図９】図１の薬剤払出装置に設けられる払出操作部の詳細を示した斜視図である。
【図１０】図１の薬剤払出装置に設けられる払出操作部の詳細を示した斜視図である。
【図１１】図１の薬剤払出装置に設けられる払出操作部の詳細を示した斜視図である。
【発明を実施するための形態】
【００２５】
以下、この発明の実施の形態を添付図面に基づいて説明する。
図１に示しているように、この実施形態の薬剤払出装置１０１内には上下左右に複数の装填スペース１０１ａが設けられており、上記装填スペース１０１ａのそれぞれに薬剤収容カセット１がその奥行き方向に出し入れ可能に設けられている。この薬剤払出装置１０１の払出操作部５０は、上記薬剤収容カセット１の前面側において上下方向及び左右方向に移動可能に設けられている。また、上記薬剤払出装置１０１には、ディスプレイ１０２及び入力部１０３が設けられている。
【００２６】
図２に示しているように、上記薬剤払出装置１０１の制御部１０５は、上記入力部１０３から入力された情報を処理し、また処理した情報をディスプレイ１０２に表示する等の処理を行う。例えば、オペレータは、上記入力部１０３を用いて、どの薬剤収容カセット１にどのＰＴＰシート１００が収容されているか或いはどのようなシート束（薬剤セット）が収容されているか等を入力する初期入力、上記薬剤収容カセット１にＰＴＰシート１００を補充する際の補充枚数入力、払出のための処方箋データ入力等を行うことができる。各種情報は、上記制御部１０５の処理によって記憶部１０４に記憶することができる。また、上記制御部１０５は、上記処方箋データに基づいて上記払出操作部５０を対象となる薬剤収容カセット１の箇所まで移動させて、ＰＴＰシート１００やシート束の払出処理を実行することになる。より具体的に述べると、各薬剤収容カセット１の特定番号IDと、各薬剤収容カセット１に収容されたシート束の情報とがコード化されて記憶される。シート束の情報としては、束ねられた「薬種」又は「薬種+各薬種の錠数」が挙げられる。処方箋データに含まれる「薬種」又は「薬種+各薬種の錠数」と合致する薬剤収容カセット１からシート束を払い出すことになる。
【００２７】
上記薬剤収容カセット１には、ＰＴＰシート１００が収容される収容部１１が形成されている。上記収容部１１には、複数枚のＰＴＰシート１００を立てた状態で横方向に並べて収容することができる。
【００２８】
また、上記薬剤収容カセット１の全て或いは幾つかは、図３に示しているように、輪ゴム９９で複数枚のＰＴＰシートを束ねたシート束１００Ａを立てた状態で横方向に並べて収容できるようになっている。上記輪ゴム９９はシート束１００Ａの中央側で縦巻きに巻かれている。このように、輪ゴム９９で同一薬剤或いは異なる薬剤の複数枚のＰＴＰシート１００を束ねた同一タイプのシート束１００Ａは、薬剤収容カセット１の収容部１１に収容され、上記薬剤収容カセット１の後述する払出部２からシート束１００Ａごと払い出される。また、同様に、ＰＴＰシート１００と端数部とを輪ゴム９９で束ねた同一タイプのシート束１００Ａは、薬剤収容カセット１の収容部１１に収容され、上記薬剤収容カセット１の払出部２からシート束１００Ａごと払い出される。
【００２９】
上記シート束１００Ａが収容される薬剤収容カセット１の収容部１１における上面開口には、固定板１２，１２および開閉蓋１３が設けられている。上記固定板１２，１２は、上記薬剤収容カセット１の手前側の位置に設けられている。上記固定板１２，１２の間には間隙が形成されており、この間隙を突き押し部材５１（図９参照）が通ることにより、上記シート束１００Ａを払い出すことができる。
【００３０】
上記開閉蓋１３は２枚の蓋部材１３ａ，１３ａからなり、これら２枚の蓋部材１３ａ，１３ａは、上記薬剤収容カセット１の左右縁の上部側を回動中心にして観音開き状に開閉する。また、上記蓋部材１３ａ，１３ａの幅は上記収容部１１の幅の半分より狭く、閉状態において上記蓋部材１３ａ，１３ａの間に間隙が形成される。上記蓋部材１３ａ，１３ａにより形成される間隙と上記固定板１２，１２に形成されている間隙は、上記収容部１１の中央側で連続するようになっている。また、各蓋部材１３ａの内側面（裏面）および上記固定板１２の内側面（裏面）には、上記シート束１００Ａの縁が接触した場合でも移動抵抗を軽減することができる樹脂製の摺接部１７が設けられている。すなわち、上記摺接部１７は上記蓋部材１３ａおよび上記固定板１２の内側面の摩擦係数よりも小さい摩擦係数を有している。また、上記蓋部材１３ａ，１３ａの手前側の縁部には、上記固定板１２，１２に当たる当たり部１３ｃがそれぞれ設けられている。
【００３１】
図４に示しているように、上記薬剤収容カセット１における手前側位置の底部には、上記シート束１００Ａが払い出される払出部２が設けられている。この払出部２は上記底部に形成された払出開口２１と、この払出開口２１を開閉する回動板２２と、上記回動板２２が上記払出開口２１を下から閉じるように付勢する巻きバネ２３を有する。上記突き押し部材５１によって上記シート束１００Ａが下方に突き押されると当該シート束１００Ａは上記回動板２２を押し開けて上記払出開口２１から落下する。
【００３２】
図５に示しているように、上記薬剤収容カセット１の奥側には磁石１３ｂが２個設けられており、各磁石１３ｂによって各蓋部材１３ａは閉状態を保持することができる。上記蓋部材１３ａは、鉄などの磁性体で形成されたものでもよいし、上記磁石に接する部位だけが磁性体で形成されるものでもよい。また、上記薬剤収容カセット１の上記収容部１１内の左右位置には、収容されるシート束１００Ａの幅に応じてガイド幅を例えば６段階で変えることができるように、仕切り板１８が設けられている。
【００３３】
図６および図７に示しているように、上記収容部１１内には、当該収容部１１内に収容されたシート束１００Ａを上記払出部２が位置する側の収容部壁１４に向けて押して移動させる移動動作部３が設けられている。そして、上記磁石１３ｂ，１３ｂ間には上記移動動作部３が位置できる初期位置スペース１５が形成されており、この初期位置スペース１５よりも手前側の収容空間を利用して上記シート束１００Ａを収容していくことができる。また、上記収容部壁１４には、上記移動動作部３により移動されるシート束１００Ａが押し当てられる凸面１４ａ，１４ａと、これら凸面１４ａ，１４ａ間に位置し、上記突き押し部材５１を通過させる凹部１４ｂと、が形成されている。上記凸面１４ａ，１４ａが設けられていることにより、払い出し対象となる最も手前のシート束１００Ａを上記収容部壁１４から少し離して位置させることができる。
【００３４】
上記移動動作部３は、例えば上記シート束１００Ａに接触する接触部材３１と定荷重バネ（例えば商品名コンストンバネ）３２とからなる。上記定荷重バネ３２にはロック部３２ａが設けられており、上記移動動作部３を上記初期位置スペース１５に移動させてロックをかけた状態で、上記シート束１００Ａをセットしていくことができる。そして、上記シート束１００Ａをセットした後にロックを外すと上記シート束１００Ａに対する押圧動作が開始される。また、上記定荷重バネ３２の下面には、上記収容部１１の裏面側に入り込んで当該定荷重バネ３２の浮き上がりを防止する鍔状部が形成されている。
【００３５】
図８にも示しているように、上記定荷重バネ３２は、捲回スプリング３２ｂを有しており、この捲回スプリング３２ｂの先端部は上記払出部２の払出開口２１の近傍に固定されている。上記移動動作部３を上記初期位置スペース１５に移動させたときに最も上記捲回スプリング３２ｂが延びる状態となる。また、上記ロック部３２ａにおけるギヤ部３２ｃは、上記収容部１１の底面に形成された歯状部１１ａに歯合しており、上記ギヤ部３２ｃの回動が制限されることで上記移動動作部３がロックされる状態となる。
【００３６】
上記収容部１１の底面中央には、上記移動動作部３の押圧方向と平行に凹溝１６が形成されている。上記捲回スプリング３２ｂの上記先端部は上記凹溝１６内において固定されており、当該捲回スプリング３２ｂの延ばされた部分および上記定荷重バネ３２の下端部分が上記凹溝１６内に位置するようになっている。そして、上記凹溝１６内の上記捲回スプリング３２ｂの延ばされた部分は、上記凹溝１６の開口よりも下側の溝底に位置する。また、上記払出部２の近傍であって上記凹溝１６の左右側位置には払出幅調節部材２４が設けられており、この払出幅調節部材２４の固定位置を調節することで上記回動板２２の位置が調整され、その結果として上記払出開口２１の幅が規制され、種々の厚みのシート束１００Ａに対応することができる。
【００３７】
図９に示しているように、上記払出操作部５０は、例えば電磁石によって上記薬剤収容カセット１の前面磁性部に磁力吸着して当該薬剤収容カセット１を出し入れする。そして、上記薬剤収容カセット１を引き出した状態で、固定板１２，１２の上記間隙上に上記突き押し部材５１を位置させ、この突き押し部材５１を上下動させることで上記シート束１００Ａを払い出すことができる。上記突き押し部材５１を支持する本体部には、ラック部５１ａが形成されている。このラック部５１ａには、モーター５２によって回転される図示しないピニオンが歯合しており、上記モーター５２の駆動によって上記突き押し部材５１を上下動させることができる。
【００３８】
図１０および図１１に示しているように、上記突き押し部材５１の上記シート束１００Ａに対面する側には、上記シート束１００Ａの輪ゴム９９を避けるように凹部５１ｂが形成されている。また、上記突き押し部材５１の下方に位置する通路部には、払い出されたシート束１００Ａを下方へと送るベルト駆動移送部５３が設けられている。このベルト駆動移送部５３における搬送ベルトは、下側回転軸５４と上側回転軸５５に掛け渡されている。そして、上記上側回転軸５５の端部にはプーリーが設けられており、このプーリーにはモーター５６の回転力が伝達ベルト５７によって伝達される。また、上記ベルト駆動移送部５３には図示しないシャッタが設けられている。上記払出操作部５０が上記薬剤払出装置１０１内の図示しない薬剤収容籠の配置位置に移動した後、上記シャッタを開き、上記ベルト駆動移送部５３を動作させると、上記払出操作部５０内のシート束１００Ａが上記薬剤収容籠に移される。
【００３９】
このように、上記薬剤収容カセット１は、上記収容部１１の上面開口を覆う開閉蓋１３を備えたので、上記シート束１００Ａがせり上がるのを防止することができる。そして、当該薬剤収容カセット１内へのシート束１００Ａの補充は、上記開閉蓋１３を開けることにより行うことができる。
【００４０】
上記開閉蓋１３は２枚の蓋部材１３ａが観音開き状に開閉し、閉状態で上記２枚の蓋部材１３ａの間に間隙が形成されるので、シート束１００Ａの輪ゴム９９を上記間隙に位置させ、当該輪ゴム９９が上記開閉蓋１３に接触しないように上記収容部１１内でシート束１００Ａを移動させていくことができる。なお、上記仕切り板１８の配置次第でシート束１００Ａの輪ゴム９９が必ずしも収容部１１の中央に位置しないことがあり得るので、このような場合でも上記輪ゴム９９が上記蓋部材１３ａに接触しないように、上記間隙の幅を広くしておくのがよい。また、観音開き状に開閉する構造に限らず、スライド構造等の開閉蓋とする場合でも、上記間隙を形成することは可能である。
【００４１】
上記移動動作部３における捲回スプリング３２ｂが通される凹溝１６が上記収容部１１内に形成されており、上記凹溝１６内の上記捲回スプリング３２ｂと上記凹溝１６の開口面との間に間隙が形成されるようにしている。これにより、上記シート束１００Ａの輪ゴム９９を上記凹溝１６に位置させ、当該輪ゴム９９が上記収容部１１に接触しないように上記収容部１１内でシート束１００Ａを移動させていくことができる。なお、上記仕切り板１８の配置次第でシート束１００Ａの輪ゴム９９が必ずしも収容部１１の中央に位置しないことがあり得るので、このような場合でも上記輪ゴム９９が上記収容部１１の底に接触しないように、上記凹溝１６の幅を広くしておくのがよい。
【００４２】
上記上面開口の上記払出部２側は固定板１２によって覆われている。これにより、上記突き押し部材５１の上下動作に起因してシート束１００Ａに大きなせり上がりの力が生じたとしても、このせり上がりを上記固定板１２で確実に防止することができる。なお、固定板１２を設けずに、上記上面開口の全体を上記開閉蓋１３で覆うようにしてもよい。また、この場合に、上記払出部２側に位置する一部分を他の部分から分割した分割開閉蓋としてもよいし、さらに上記分割開閉蓋の閉状態を保持するための磁石の磁力を上記磁石１３ｂよりも強力にしてもよい。
【００４３】
また、各蓋部材１３ａの内側面、さらには上記固定板１２の内側面には、上記シート束１００Ａの移動抵抗を軽減する樹脂製の摺接部１７が設けられている。これにより、シート束１００Ａのせり上がりを防止しながら当該シート束１００Ａの移動を円滑に行わせることができる。
【００４４】
また、上記薬剤払出装置１０１において、上記払出操作部５０は、上記薬剤収容カセット１の上記払出部２から払い出されたシート束１００Ａが通過する通路部に上記ベルト駆動移送部５３を備えている。これにより、上記輪ゴム９９に起因してシート束１００Ａが上記通路部を滑り落ちにくくなったとしても、上記ベルト駆動移送部５３の動作によって確実に上記シート束１００Ａを移送することができる。
【００４５】
また、上記突き押し部材５１の上記シート束１００Ａに対面する側には凹部５１ｂが形成されている。これにより、シート束１００Ａの輪ゴム９９が上記突き押し部材５１に接触するのが上記凹部５１ｂによって回避され、上記突き押し部材５１の引き上げ動作で上記シート束１００Ａがせり上がろうとするのを防止することができる。
【００４６】
なお、上記の実施形態では、定荷重バネ３２から成る移動動作部３を備えたが、これに限らず、例えば薬剤収容カセット１の底部を傾斜配置し且つ振動させてシート束１００Ａを払出部２側へ移動させるようにしてもよい。
【００４７】
また、上記薬剤セットは、複数の薬剤シートが輪ゴムで束ねられた上記シート束に限らず、複数の薬剤シートがテープまたはバンドなどで束ねられたものでもよい。また、上記薬剤セットは、同一または異なる種類の複数の薬剤を輪ゴムや袋などで一纏めにしたものでもよいし、或いは、薬剤シートと端数部とを輪ゴムや袋などで一纏めにしたものでもよい。このような場合も、処方箋データによる薬剤種および薬剤数が上記薬剤セットの薬剤種および薬剤数に合致する場合に上記薬剤収容カセット１から１回の払い出し操作で払い出すことができ、払出処理の時間短縮が図れる。例えば、上記処方箋データにおいて２週間分の薬剤が処方され、２週間分の薬剤が一纏めにされた薬剤セットが上記薬剤収容カセット１内に収容されている場合には、必要となる薬剤が１回の払い出しで得られることになる。なお、基本的には、１つの薬剤収容カセット１内には薬剤種および薬剤数が同じである同一タイプの薬剤セットが複数収容されることになる。
【００４８】
上記薬剤払出装置１０１は、上記薬剤セットが収容できる上記薬剤収容カセット１だけでなく、薬剤シートが１枚ずつ払い出せる通常カセットを上記装填スペース１０１ａに設けておくこともできる。上記通常カセットとしては、例えば、上記薬剤収容カセット１において上記開閉蓋１３が取り外されたものなどが用いられる。なお、上記薬剤収容カセット１を通常カセットとして利用することもできる。また、１枚の薬剤シートと上記薬剤セットとでは、その厚みが相違することになるが、この場合、１枚用突き押し部材を上記払出操作部５０に設け、この１枚用突き押し部材で１枚の薬剤シートも上記薬剤セットも突き押すようにすればよい。
【００４９】
上記通常カセットも用いられる場合、薬剤シートと端数部とを一纏めにした薬剤セットが収容できる上記薬剤収容カセット１、および上記薬剤シートと同一薬種の薬剤シートが１枚ずつ収容される通常カセットが上記装填スペース１０１ａ内に出し入れ可能に装填される。そして、この薬剤払出装置１０１は、処方箋データが上記薬剤セットの薬剤数に合致する場合に上記薬剤収容カセット１から上記薬剤セットを払い出し、処方箋データが上記薬剤セットの薬剤数に合致しない場合には上記通常カセットから上記薬剤シートを１枚ずつ払い出す。
【００５０】
また、上記薬剤払出装置１０１においては、同一または異なる種類の複数の薬剤を一纏めにした薬剤セットが収容できる上記薬剤収容カセット１が上記装填スペース１０１ａ内に出し入れ可能に装填される。そして、この薬剤払出装置１０１は、処方箋データが上記薬剤セットの薬剤種および薬剤数に合致する場合に上記薬剤収容カセットから上記薬剤セットを払い出す。
【００５１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００５２】
１      薬剤収容カセット
１１    収容部
１２    固定板
１３    開閉蓋
１３ａ  蓋部材
１４    収容部壁
１６    凹溝
１７    摺接部
２      払出部
２１    払出開口
３      移動動作部
３１    接触部材
３２    定荷重バネ
３２ｂ  捲回スプリング
５０    払出操作部
５１    突き押し部材
５１ｂ  凹部
５３    ベルト駆動移送部
９９    輪ゴム
１００  ＰＴＰシート（薬剤シート）
１００Ａ  シート束（薬剤セット）
１０１  薬剤払出装置
１０１ａ  装填スペース
【図１】
2014004342.tif 000003
【図２】
2014004342.tif 000004
【図３】
2014004342.tif 000005
【図４】
2014004342.tif 000006
【図５】
2014004342.tif 000007
【図６】
2014004342.tif 000008
【図７】
2014004342.tif 000009
【図８】
2014004342.tif 000010
【図９】
2014004342.tif 000011
【図１０】
2014004342.tif 000012
【図１１】
2014004342.tif 000013